【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
流体同士の熱交換を行う熱交換器であって、
第１の流体が流れるチューブ（２０）と、
板状部材（１００）が所定間隔で折り曲げられた複数の折曲部（１２）と、前記折曲部と前記折曲部との間に配置されるフィン本体部（１３）と、前記フィン本体部の一部が切り起こされたルーバー（１４）とを有し、前記チューブの内側を流れる第１の流体と前記チューブの外側を流れる第２の流体との熱交換効率を高めるコルゲートフィン（１０）と、
前記コルゲートフィンの表面の親水性を高めるように前記コルゲートフィンの表面に設けられる複数の溝部（１１）であって、前記溝部同士が所定の間隔をあけて並ぶ複数の溝部と、を備え、
前記コルゲートフィンは、前記折曲部が延びる方向の断面視において、前記溝部が設けられている第１の板厚部分（Ｔ１、Ｔ３、Ｔ４）と、前記第１の板厚部分よりも板厚の厚い第２の板厚部分（Ｔ２）とを含んで構成されており、
複数の前記溝部は、前記折曲部および前記ルーバーを含んで設けられている、熱交換器。
【請求項２】
複数の前記溝部は、前記折曲部が延びる方向に沿って断続的に延びている、請求項１に記載の熱交換器。
【請求項３】
複数の前記溝部は、前記コルゲートフィンの板厚方向の一方の面（１０ａ）と、前記コルゲートフィンの他方の面（１０ｂ）に設けられている、請求項１または２に記載の熱交換器。
【請求項４】
前記折曲部が延びる方向に沿って断続的に延びている複数の前記溝部を折曲方向溝部群（１３０）とすると、
前記コルゲートフィンの表面には、複数の前記溝部同士が所定の間隔をあけて並ぶと共に、前記折曲方向溝部群に対して交差する方向に延びている交差方向溝部群（１４０）がさらに設けられている、請求項１ないし３のいずれか１つに記載の熱交換器。
【請求項５】
前記コルゲートフィンの板厚方向の一方の面に設けられている前記折曲方向溝部群を構成する前記溝部と、前記コルゲートフィンの板厚方向の他方の面に設けられている前記折曲方向溝部群を構成する前記溝部とは、板厚方向に見てずれた位置に設けられている、請求項４に記載の熱交換器。
【請求項６】
前記コルゲートフィンの板厚方向の一方の面に設けられている前記折曲方向溝部群を構成する前記溝部の底と、前記コルゲートフィンの板厚方向の他方の面に設けられている前記折曲方向溝部群を構成する前記溝部の底との距離を溝部同士距離（Ｌｍｉｎ）とし、
前記コルゲートフィンの板厚方向の一方の面に設けられている前記折曲方向溝部群を構成する前記溝部の底と、前記コルゲートフィンの板厚方向の他方の面との距離を溝部板厚距離（Ｔｍｉｎ）とすると、
前記溝部同士距離は、前記溝部板厚距離と同一であるか、または、前記溝部板厚距離より大きい、請求項４または５に記載の熱交換器。
【請求項７】
前記折曲方向溝部群を構成する複数の前記溝部は、前記コルゲートフィンの表面に千鳥状に配置されている、請求項４ないし６のいずれか１つに記載の熱交換器。
【請求項８】
複数の前記溝部は、前記折曲部が延びる方向に対して斜めに延びている、請求項１に記載の熱交換器。
【請求項９】
流体同士の熱交換を行う熱交換器であって、
第１の流体が流れるチューブ（２０）と、
板状部材が所定間隔で折り曲げられた複数の折曲部（１２）と、前記折曲部と前記折曲部との間に配置されるフィン本体部（１３）と、前記フィン本体部の一部が切り起こされたルーバー（１４）とを有し、前記チューブの内側を流れる第１の流体と前記チューブの外側を流れる第２の流体との熱交換効率を高めるコルゲートフィン（１０）と、
前記コルゲートフィンの表面の親水性を高めるように前記コルゲートフィンの表面に設けられる複数の溝部（１１）であって、前記溝部同士が所定の間隔をあけて並ぶと共に、前記折曲部が延びる方向に対して斜めに延びている複数の溝部と、を備え、
複数の前記溝部は、前記折曲部および前記ルーバーを含んで設けられている、熱交換器。
【請求項１０】
複数の前記溝部は、前記コルゲートフィンの板厚方向の一方の面（１０ａ）と、前記コルゲートフィンの板厚方向の他方の面（１０ｂ）に設けられている、請求項９に記載の熱交換器。
【請求項１１】
前記折曲部の中央を含み、且つ、前記折曲部が延びる方向に垂直な仮想面（ＶＳ）に対し、複数の前記溝部は左右対称に設けられている、請求項９または１０に記載の熱交換器。
【請求項１２】
前記折曲部の中央を含み且つ前記折曲部が延びる方向に垂直な仮想面（ＶＳ）と、複数の前記溝部が延びる方向とのなす角をθ１とすると、２０°≦θ１≦７０°である、請求項９ないし１１のいずれか１つに記載の熱交換器。
【請求項１３】
複数の前記溝部を第１溝部群（１１０）とすると、
前記コルゲートフィンの表面には、複数の前記溝部同士が所定の間隔をあけて並ぶと共に、前記第１溝部群に対して交差する方向に延びている第２溝部群（１２０）がさらに設けられている、請求項９ないし１２のいずれか１つに記載の熱交換器。
【請求項１４】
前記コルゲートフィンの板厚方向の一方の面に設けられている前記第１溝部群を構成する前記溝部と、前記コルゲートフィンの板厚方向の他方の面に設けられている前記第１溝部群を構成する前記溝部とは、板厚方向に見てずれた位置に設けられている、請求項１３に記載の熱交換器。
【請求項１５】
前記コルゲートフィンの板厚方向の一方の面に設けられている前記第１溝部群を構成する前記溝部と、前記コルゲートフィンの板厚方向の他方の面に設けられている前記第１溝部群を構成する前記溝部とは、同一の板厚方向から見て、前記折曲部が延びる方向に対する角度が異なっている、請求項１３または１４に記載の熱交換器。
【請求項１６】
前記熱交換器は、前記チューブの内側を流れる第１の流体としての冷媒が蒸発する潜熱により、前記チューブの外側に設けられた前記コルゲートフィンを通過する第２の流体としての空気を冷却する蒸発器として使用されるものである、請求項１ないし１５のいずれか１つに記載の熱交換器。
【請求項１７】
複数の前記溝部は、幅（ｗ）が１０〜５０μｍ、深さ（ｈ）が１０μｍ以上、ピッチ（ｐ）が５０〜２００μｍである、請求項１ないし１６のいずれか１つに記載の熱交換器。
【請求項１８】
板状部材が所定間隔で折り曲げられて形成されるコルゲートフィンであって、
前記板状部材が折り曲げられた部位である折曲部（１２）と、
前記折曲部と前記折曲部との間に配置される部位であるフィン本体部（１３）と、
前記コルゲートフィンの表面の親水性を高めるように前記コルゲートフィンの表面に設けられる複数の溝部（１１）であって、前記溝部同士が所定の間隔をあけて並ぶ複数の溝部と、
前記フィン本体部の一部が切り起こされたルーバー（１４）と、を備え、
前記折曲部と前記フィン本体部は、前記折曲部が延びる方向の断面視において、前記溝部が設けられている第１の板厚部分（Ｔ１）と前記第１の板厚部分よりも板厚の厚い第２の板厚部分（Ｔ２）とを含んで構成されており、
複数の前記溝部は、前記折曲部および前記ルーバーを含んで設けられている、コルゲートフィン。
【手続補正２】
【補正対象書類名】明細書
【補正対象項目名】０００８
【補正方法】変更
【補正の内容】
【０００８】
上記目的を達成するため、請求項１に係る発明は、流体同士の熱交換を行う熱交換器であって、
第１の流体が流れるチューブ（２０）と、
板状部材（１００）が所定間隔で折り曲げられた複数の折曲部（１２）と、その折曲部と折曲部との間に配置されるフィン本体部（１３）と、フィン本体部の一部が切り起こされたルーバー（１４）とを有し、チューブの内側を流れる第１の流体とチューブの外側を流れる第２の流体との熱交換効率を高めるコルゲートフィン（１０）と、
コルゲートフィンの表面の親水性を高めるようにコルゲートフィンの表面に設けられる複数の溝部（１１）であって、溝部同士が所定の間隔をあけて並ぶ複数の溝部と、を備え、
コルゲートフィンは、折曲部が延びる方向の断面視において、溝部が設けられている第１の板厚部分（Ｔ１、Ｔ３、Ｔ４）と、第１の板厚部分よりも板厚の厚い第２の板厚部分（Ｔ２）とを含んで構成されており、
複数の溝部は、折曲部およびルーバーを含んで設けられている。
【手続補正３】
【補正対象書類名】明細書
【補正対象項目名】００１２
【補正方法】変更
【補正の内容】
【００１２】
請求項９に係る発明は、流体同士の熱交換を行う熱交換器であって、
第１の流体が流れるチューブ（２０）と、
板状部材が所定間隔で折り曲げられた複数の折曲部（１２）と、その折曲部と折曲部との間に配置されるフィン本体部（１３）と、フィン本体部の一部が切り起こされたルーバー（１４）とを有し、チューブの内側を流れる第１の流体とチューブの外側を流れる第２の流体との熱交換効率を高めるコルゲートフィン（１０）と、
コルゲートフィンの表面の親水性を高めるようにコルゲートフィンの表面に設けられる複数の溝部（１１）であって、溝部同士が所定の間隔をあけて並ぶと共に、折曲部が延びる方向に対して斜めに延びている複数の溝部と、を備え、
複数の溝部は、折曲部およびルーバーを含んで設けられている。
【手続補正４】
【補正対象書類名】明細書
【補正対象項目名】００１５
【補正方法】変更
【補正の内容】
【００１５】
請求項１８に係る発明は、板状部材が所定間隔で折り曲げられて形成されるコルゲートフィンであって、
板状部材が折り曲げられた部位である折曲部（１２）と、
折曲部と折曲部との間に配置される部位であるフィン本体部（１３）と、
コルゲートフィンの表面の親水性を高めるようにコルゲートフィンの表面に設けられる複数の溝部（１１）であって、溝部同士が所定の間隔をあけて並ぶ複数の溝部と、
フィン本体部の一部が切り起こされたルーバー（１４）と、を備え、
折曲部とフィン本体部は、折曲部が延びる方向に平行な断面視において、溝部が設けられている第１の板厚部分（Ｔ１）と第１の板厚部分よりも板厚の厚い第２の板厚部分（Ｔ２）とを含んで構成されており、
複数の溝部は、折曲部およびルーバーを含んで設けられている。